(57)【要約】      （修正有）【課題】簡便にフトンを丸めて収納できるフトン収納袋を提供する。【解決手段】フトン袋は、最終的に円柱状となるように、円柱の側面となる本体面Ａと、円柱の上下の略円形の端面となる、Ｂ１、Ｂ２からなり、端面のＢ１、Ｂ２はその円周の１０％未満の部分で、本体面と接合している。このために、平面に展開することができる。本体面Ａの円柱の長さ方向の端には、スライドファスナーＣ１、Ｃ２が取り付けられており、また、長さ方向と直交する端には、スライドファスナーＥ１、Ｅ２、Ｅ３、Ｅ４が取り付けられている。また、端面Ｂ１、Ｂ２の本体面と接合している箇所以外の円周にはスライドファスナーＤ１、Ｄ２が取り付けられている。【選択図】図１
0003199820.tif 000002
【実用新案登録請求の範囲】
【請求項１】
柔らかい布帛からなる略円柱状のフトン収納袋であり、両端の略円形の端面をつなぐ円柱部分に、円柱の長さ方向に一方の端面からもう１方の端面に渡ってスライドファスナーが取り付けられて開閉可能となっており、両端の略円形の端面の円周が、円柱部分とスライドファスナーで係合して開閉可能となっており、スライドファスナーをすべて開けることで、平面展開できることを特徴とするフトン収納袋。
【請求項２】
両端の略円形の端面の円周の９０〜９９．９％が、円柱部分とスライドファスナーで係合して開閉可能となっており、残りの０．１〜１０％が円柱部分に固着されている、請求項１記載のフトン収納袋。
【請求項３】
柔らかい布帛が、不織布からなる請求項１または２記載のフトン収納袋。
【請求項４】
柔らかい布帛が、ポリプロピレン製の不織布からなり、ダニ忌避剤、ダニ増殖抑制剤、抗菌剤、消臭剤のうち少なくとも一つを含有する不織布である、請求項１〜３いずれか一つに記載のフトン収納袋。
【考案の詳細な説明】
【技術分野】
【０００１】
本考案は、簡便にフトンを丸めて収納できるフトン収納袋に関するものである。
【背景技術】
【０００２】
特許文献１には、柔らかい生地素材からなる矩形の底面シートと側面シートからなるフトン収納袋が提案されており、折りたたまれた形から立体的な略直方体形状に組み立てた後、折りたたんだフトンをこの直方体に収納するものである。この場合、フトン折りたたみの手間がかかり、またフトンを折りたたむ際には、該フトン収納袋のサイズに合うように折りたたむ必要があった。さらに、折りたたんだフトンをフトン袋に入れようとする際、直方体に組み立てた柔らかいフトン収納袋の形が崩れることがあり、収納に手間取る欠点があった。
特許文献２には、保形性のある矩形の部材からなる折りたたみ可能なフトン収納袋が提案されており、フトンを収納する際には、略直方体形状に組み立てた後、折りたたんだフトンをこの直方体に収納するものである。この直方体にフトンを収納する場合には、保形性のある部材ゆえに、特許文献１ほどには直方体に組み立てた形状が崩れにくいものの、同様に、事前にフトンを折りたたむ手間がかかり、またフトンを折りたたむ際には、該フトン収納袋のサイズに合うように折りたたむ必要があり、収納に手間取る欠点があった。
【０００３】
さらに、特許文献３には、フトンを丸める作業と収納する作業を一連して同時に行うフトン収納バッグが提案されている。これは、スライドファスナー付きの柔軟な生地からなる円筒状周壁の一部をあらかじめ展開し、この上にフトンを置いて丸めて円筒状にし、これを周壁で包んでスライドファスナーで係合するものである。この場合、事前にフトンをたたむ手間は省けるものの、丸めたフトンを円筒状周壁で包む際、円筒状周壁の一部が立体的に残った袋状の部分に丸めたフトンを押し込む必要がある。立体的に残った袋状の部分は形が崩れることがあり、丸めたフトンを押し込むには、やはり手間がかかる問題があった。
【先行技術文献】
【特許文献】
【０００４】
【特許文献１】特開２００１−１５８４７１号
【特許文献２】特開２０１３−２１６３６６号
【特許文献３】実用新案登録３１９３９７８号
【考案の概要】
【考案が解決しようとする課題】
【０００５】
本考案は、フトンの収納袋への収納に際し、フトンを丸めることでたたむ手間を省き、さらに丸めたフトンを収納する際に、あらかじめ立体化した収納袋の形が崩れて収納に手間取る課題を解決するものである。
【課題を解決するための手段】
【０００６】
上記の課題を解決するため、本考案は、柔らかい布帛からなる略円柱状のフトン収納袋であり、両端の略円形の端面をつなぐ円柱部分に、円柱の長さ方向に一方の端面からもう１方の端面に渡ってスライドファスナーが取り付けられて開閉可能となっており、両端の略円形の端面の円周の９０〜９９．９％以下が、円柱部分とスライドファスナーで係合して開閉可能となっており、残りの０．１〜１０％が円柱部分に固着されており、スライドファスナーをすべて開けることで、平面展開できるフトン収納袋を提案するものである。すなわち、フトンを収納する前に、平面に展開し、この上にフトンを乗せて丸め、展開した円柱部分および、端面の円形部分をスライドファスナーで係合することで、フトンの収納を効率的に行うことができるものである。
【考案の効果】
【０００７】
この考案では、フトンはあらかじめたたむ必要はなく、丸めて収納できる。さらにフトン収納前にフトン収納袋を平面に展開することにより、その上にフトンを置き、丸める動作を容易に行うことができ、丸めたフトンを展開した袋で包んでスライドファスナーで係合するのみで簡便に収納できる。
【考案を実施するための形態】
【０００８】
図１のように、本考案のフトン袋は、最終的に円柱状となるように、円柱の側面となる本体面Aと、円柱の上下の略円形の端面となる、B1、B2からなり、端面のB1、B2はその円周の１０％未満の部分で、本体面と接合している。このために、平面に展開することができる。本体面Aの円柱の長さ方向の端には、スライドファスナーC1、C2が取り付けられており、また、長さ方向と直交する端には、スライドファスナーE1、E2、E3、E4が取り付けられている。また、端面B1、B2の本体面と接合している箇所以外の円周にはスライドファスナーD1、D2が取り付けられている。
図２のように、展開した本考案のフトン袋の上にフトンＦを置き、これを丸めて図３のようにフトン袋の中央に位置するようにし、本体のC1とC2のスライドファスナーを係合すると、図４の状態となる。
図４の状態からD1とE1、E2を係合し、D2とE3、E4を係合することにより、図５のようにフトンを完全に収納した略円柱状の形状とすることができる。
【０００９】
本体Aおよび端面B1、B2は、いずれもいずれも柔らかい布帛を材料とすることができ、織編生地や不織布生地を用いることができる。特に、ポリプロピレンからなるスパンボンド不織布を用いることもでき、さらに、ダニ忌避剤、ダニ増殖抑制剤、抗菌剤、消臭剤のうち少なくとも一つを含有し、各々の成分に由来する機能を発揮するスパンボンド不織布を用いることもできる。
【図面の簡単な説明】
【００１０】
【図１】フトン袋を平面に展開した状態
【図２】平面に展開したフトン袋の上に、フトンを置いた状態
【図３】フトンを丸めて、平面に展開したフトン袋の中央に置いた状態
【図４】中央に置いたフトンを本体面で包み、スライドファスナーで係合した状態
【図５】端面の円形部分もスライドファスナーで係合し、完全に収納した状態
【符号の説明】
【００１１】
A：本体面
B1, B2：端面
C1, C2：本体面接合ファスナー
D1, D2：端面ファスナー
E1, E2, E3, E4：本体/端面接合ファスナー
F：フトン
【図１】
0003199820.tif 000003
【図２】
0003199820.tif 000004
【図３】
0003199820.tif 000005
【図４】
0003199820.tif 000006
【図５】
0003199820.tif 000007